【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局から信号を受信することと、ここにおいて、前記受信された信号は、一緒にコーディングされる、タイミングアドバンスループインデックス（ＴＬＩ）と電力制御ループインデックス（ＰＬＩ）とを備え、
前記ＴＬＩに少なくとも部分的に基づく複数のタイミングアドバンス（ＴＡ）ループからのＴＡループ、前記ＰＬＩに少なくとも部分的に基づく複数の電力制御（ＰＣ）ループからのＰＣループ、またはそれらの組み合わせを決定することと
を備える、方法。
【請求項２】
前記ＴＬＩは、前記受信された信号のダウンリンク制御情報（ＤＣＩ）に含まれる、請求項１に記載の方法。
【請求項３】
媒体アクセス制御（ＭＡＣ）ペイロードのＴＡループインデックスに少なくとも部分的に基づいてＴＡコマンドを前記ＴＡループに関連付けることをさらに備える、請求項１に記載の方法。
【請求項４】
前記ＴＡループは、前記受信された信号に関連付けられた拡張物理ダウンリンク制御チャネル（ｅＰＤＣＣＨ）セットに少なくとも部分的に基づいてさらに決定され、
前記方法は、前記ｅＰＤＣＣＨセットに少なくとも部分的に基づいてＴＡコマンドを前記ＴＡループに関連付けることをさらに備える、請求項１に記載の方法。
【請求項５】
前記ＴＡループは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいてさらに決定される、請求項１に記載の方法。
【請求項６】
前記ＰＬＩは、前記受信された信号のダウンリンク制御情報（ＤＣＩ）に含まれる、請求項１に記載の方法。
【請求項７】
前記ＰＣループは、前記受信された信号のダウンリンク制御情報（ＤＣＩ）に含まれる送信電力制御（ＴＰＣ）コマンドに少なくとも部分的に基づいてさらに決定される、請求項１に記載の方法。
【請求項８】
前記ＰＣループは、前記受信された信号のダウンリンク制御情報（ＤＣＩ）に含まれるスクランブルＩＤ（ｎＳＣＩＤ）または疑似コロケーションインジケータ（ＰＱＩ）フィールドおよび物理ダウンリンク共有チャネルレートマッチングに少なくとも部分的に基づいてさらに決定される、請求項１に記載の方法。
【請求項９】
前記ＰＣループは、前記受信された信号に関連付けられた拡張物理ダウンリンク制御チャネル（ｅＰＤＣＣＨ）セットに少なくとも部分的に基づいて決定される、請求項１に記載の方法。
【請求項１０】
ワイヤレス通信のための装置であって、
基地局から信号を受信するための手段と、ここにおいて、前記受信された信号は、一緒にコーディングされる、タイミングアドバンスループインデックス（ＴＬＩ）と電力制御ループインデックス（ＰＬＩ）とを備え、
前記ＴＬＩに少なくとも部分的に基づく複数のタイミングアドバンス（ＴＡ）ループからのＴＡループ、前記ＰＬＩに少なくとも部分的に基づく複数の電力制御（ＰＣ）ループからのＰＣループ、またはそれらの組み合わせを決定するための手段と
を備える、装置。
【請求項１１】
前記ＴＬＩは、前記受信された信号のダウンリンク制御情報（ＤＣＩ）に含まれる、請求項１０に記載の装置。
【請求項１２】
前記ＴＡループを決定するための前記手段は、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＴＡループを決定する、請求項１０に記載の装置。
【請求項１３】
前記ＰＬＩは、前記受信された信号のダウンリンク制御情報（ＤＣＩ）に含まれる、請求項１０に記載の装置。
【請求項１４】
前記ＰＣループを決定するための前記手段は、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＰＣループを決定する、請求項１０に記載の装置。
【請求項１５】
コンピュータ上で実行されると、請求項１乃至９のいずれか一項に記載のプログラムを行うための命令を備える、コンピュータプログラム。
【手続補正２】
【補正対象書類名】明細書
【補正対象項目名】００９１
【補正方法】変更
【補正の内容】
【００９１】
[0098]  本開示の先の説明は、当業者が本開示を製造または使用することを可能にするよう提供される。本開示への様々な変更は、当業者には容易に明らかとなり、本明細書において定義された包括的な原理は、本開示の精神または範囲から逸脱することなく他の変形例に適用されうる。したがって、本開示は、本明細書において説明された例および設計に限定するよう意図されず、本明細書において開示された原理および新規の特徴と一致する最も幅広い範囲が付与されるべきである。
以下に、本願出願の当初の特許請求の範囲に記載された発明を付記する。
［Ｃ１］
ワイヤレス通信の方法であって、
基地局から信号を受信することと、
前記受信された信号に少なくとも部分的に基づいて、複数のタイミングアドバンス（ＴＡ）ループからのＴＡループ、複数の電力制御（ＰＣ）ループからのＰＣループ、またはそれらの組み合わせを決定することと
を備える、方法。
［Ｃ２］
前記ＴＡループは、前記受信された信号のダウンリンク制御情報（ＤＣＩ）において含まれるタイミングアドバンスループインデックス（ＴＬＩ）フィールドに少なくとも部分的に基づいてさらに決定される、Ｃ１に記載の方法。
［Ｃ３］
媒体アクセス制御（ＭＡＣ）ペイロードのＴＡループインデックスに少なくとも部分的に基づいてＴＡコマンドを前記ＴＡループに関連付けることをさらに備える、Ｃ１に記載の方法。
［Ｃ４］
前記ＴＡループは、前記受信された信号に関連付けられる拡張物理ダウンリンク制御チャネル（ｅＰＤＣＣＨ）セットに少なくとも部分的に基づいてさらに決定され、
前記方法は、前記ｅＰＤＣＣＨセットに少なくとも部分的に基づいてＴＡコマンドを前記ＴＡループに関連付けることをさらに備える、Ｃ１に記載の方法。
［Ｃ５］
前記ＴＡループは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいてさらに決定される、Ｃ１に記載の方法。
［Ｃ６］
前記ＰＣループは、前記受信された信号のダウンリンク制御情報（ＤＣＩ）において含まれる電力制御ループインデックス（ＰＬＩ）フィールドに少なくとも部分的に基づいてさらに決定される、Ｃ１に記載の方法。
［Ｃ７］
前記ＰＣループは、前記受信された信号のダウンリンク制御情報（ＤＣＩ）において含まれる送信電力制御（ＴＰＣ）コマンドに少なくとも部分的に基づいてさらに決定される、Ｃ１に記載の方法。
［Ｃ８］
前記ＰＣループは、前記受信された信号のダウンリンク制御情報（ＤＣＩ）において含まれるスクランブルＩＤ（ｎＳＣＩＤ）または疑似コロケーションインジケータ（ＰＱＩ）フィールドおよび物理ダウンリンク共有チャネルレートマッチングに少なくとも部分的に基づいてさらに決定される、Ｃ１に記載の方法。
［Ｃ９］
前記ＰＣループは、前記受信された信号に関連付けられた拡張物理ダウンリンク制御チャネル（ｅＰＤＣＣＨ）セットに少なくとも部分的に基づいて決定される、Ｃ１に記載の方法。
［Ｃ１０］
前記ＰＣループは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいてさらに決定される、Ｃ１に記載の方法。
［Ｃ１１］
ワイヤレス通信のための装置であって、
基地局から信号を受信するための手段と、
前記受信された信号に少なくとも部分的に基づいて、複数のタイミングアドバンス（ＴＡ）ループからのＴＡループ、複数の電力制御（ＰＣ）ループからのＰＣループ、またはそれらの組み合わせを決定するための手段と
を備える、装置。
［Ｃ１２］
前記ＴＡループを決定するための前記手段は、前記受信された信号のダウンリンク制御情報（ＤＣＩ）において含まれるタイミングアドバンスループインデックス（ＴＬＩ）フィールドに少なくとも部分的に基づいて前記ＴＡループを決定する、Ｃ１１に記載の装置。
［Ｃ１３］
前記ＴＡループを決定するための前記手段は、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＴＡループを決定する、Ｃ１１に記載の装置。
［Ｃ１４］
前記ＰＣループを決定するための前記手段は、前記受信された信号のダウンリンク制御情報（ＤＣＩ）において含まれる電力制御ループインデックス（ＰＬＩ）フィールドに少なくとも部分的に基づいて前記ＰＣループを決定する、Ｃ１１に記載の装置。
［Ｃ１５］
前記ＰＣループを決定するための前記手段は、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＰＣループを決定する、Ｃ１１に記載の装置。
［Ｃ１６］
ワイヤレス通信のためのコンピュータプログラム製品であって、前記コンピュータプログラム製品は、
その上に記録されたプログラムコードを有する非一時的なコンピュータ可読媒体を備え、前記プログラムコードは、
基地局から信号を受信するコードと、
前記受信された信号に少なくとも部分的に基づいて、複数のタイミングアドバンス（ＴＡ）ループからのＴＡループ、複数の電力制御（ＰＣ）ループからのＰＣループ、またはそれらの組み合わせを決定するプログラムコードと
を備える、コンピュータプログラム製品。
［Ｃ１７］
前記ＴＡループを決定する前記プログラムコードは、前記受信された信号のダウンリンク制御情報（ＤＣＩ）において含まれるタイミングアドバンスループインデックス（ＴＬＩ）フィールドに少なくとも部分的に基づいて前記ＴＡループを決定するプログラムコードをさらに備える、Ｃ１６に記載のコンピュータプログラム製品。
［Ｃ１８］
前記ＴＡループを決定する前記プログラムコードは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＴＡループを決定するプログラムコードをさらに備える、Ｃ１６に記載のコンピュータプログラム製品。
［Ｃ１９］
前記ＰＣループを決定する前記プログラムコードは、前記受信された信号のダウンリンク制御情報（ＤＣＩ）内において含まれる電力制御ループインデックス（ＰＬＩ）フィールドに少なくとも部分的に基づいて前記ＰＣループを決定するプログラムコードをさらに備える、Ｃ１６に記載のコンピュータプログラム製品。
［Ｃ２０］
前記ＰＣループを決定する前記プログラムコードは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＰＣループを決定するプログラムコードをさらに備える、Ｃ１６に記載のコンピュータプログラム製品。
［Ｃ２１］
ワイヤレス通信のための装置であって、
メモリと、
前記メモリに結合された少なくとも１つのプロセッサと
を備え、前記少なくとも１つのプロセッサは、
基地局から信号を受信することと、
前記受信された信号に少なくとも部分的に基づいて、複数のタイミングアドバンス（ＴＡ）ループからのＴＡループ、複数の電力制御（ＰＣ）ループからのＰＣループ、またはそれらの組み合わせを決定することと
を行うように構成される、装置。
［Ｃ２２］
前記少なくとも１つのプロセッサは、前記受信された信号のダウンリンク制御情報（ＤＣＩ）において含まれるタイミングアドバンスループインデックス（ＴＬＩ）フィールドに少なくとも部分的に基づいて前記ＴＡループを決定するようさらに構成される、Ｃ２１に記載の装置。
［Ｃ２３］
前記少なくとも１つのプロセッサは、媒体アクセス制御（ＭＡＣ）ペイロードのＴＡループインデックスに少なくとも部分的に基づいてＴＡコマンドを前記ＴＡループに関連付けるようさらに構成される、Ｃ２１に記載の装置。
［Ｃ２４］
前記少なくとも１つのプロセッサは、
前記受信された信号に関連付けられる拡張物理ダウンリンク制御チャネル（ｅＰＤＣＣＨ）セットに少なくとも部分的に基づいて前記ＴＡループを決定することと、
前記ｅＰＤＣＣＨセットに少なくとも部分的に基づいてＴＡコマンドを前記ＴＡループに関連付けることと
を行うようさらに構成される、Ｃ２１に記載の装置。
［Ｃ２５］
前記少なくとも１つのプロセッサは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＴＡループを決定するようさらに構成される、Ｃ２１に記載の装置。
［Ｃ２６］
前記少なくとも１つのプロセッサは、前記受信された信号のダウンリンク制御情報（ＤＣＩ）において含まれる電力制御ループインデックス（ＰＬＩ）フィールドに少なくとも部分的に基づいて前記ＰＣループを決定するようさらに構成される、Ｃ２１に記載の装置。
［Ｃ２７］
前記少なくとも１つのプロセッサは、前記受信された信号のダウンリンク制御情報（ＤＣＩ）において含まれる送信電力制御（ＴＰＣ）コマンドに少なくとも部分的に基づいて前記ＰＣループを決定するようさらに構成される、Ｃ２１に記載の装置。
［Ｃ２８］
前記少なくとも１つのプロセッサは、前記受信された信号のダウンリンク制御情報（ＤＣＩ）内において含まれるスクランブルＩＤ（ｎＳＣＩＤ）または疑似コロケーションインジケータ（ＰＱＩ）フィールドおよび物理ダウンリンク共有チャネルレートマッチングに少なくとも部分的に基づいて前記ＰＣループを決定するようさらに構成される、Ｃ２１に記載の装置。
［Ｃ２９］
前記少なくとも１つのプロセッサは、前記受信された信号に関連付けられる拡張物理ダウンリンク制御チャネル（ｅＰＤＣＣＨ）セットに少なくとも部分的に基づいて前記ＰＣループを決定するようさらに構成される、Ｃ２１に記載の装置。
［Ｃ３０］
前記少なくとも１つのプロセッサは、ダウンリンク制御情報（ＤＣＩ）タイプ、制御チャネル復号候補、仮想セルＩＤ、サブフレームインデックス、サブフレームタイプ、ＤＣＩフォーマット、制御チャネルタイプ、またはそれらの組み合わせに少なくとも部分的に基づいて前記ＰＣループを決定するようさらに構成される、Ｃ２１に記載の装置。